(57)【要約】      （修正有）【課題】携帯情報端末を用いて、同時に複数の操作を行うことができる携帯情報端末用ケースを提供する。【解決手段】一の携帯情報端末が収納できるケース本体二個が、タッチパネル等の入力部を操作できる開口部３のある本体正面１を内側にして閉じ合わせるように、接合部４によって接合されている。ケース本体の一方の本体背面２には、接合部４の逆の側面側から伸びた先端部に留具６が配置されたベルト５が設けられており、二のケース本体を接合部４で正面から見て谷折りに折り畳んで閉じ合わせたときには、ベルト５の留具６はもう一方のケース本体の本体背面２に配置された留具と留め合わされることになる。【選択図】図１
0003143881.tif 000002
【実用新案登録請求の範囲】
【請求項１】
二の携帯情報端末を収納することが可能な携帯情報端末用ケースであって、
携帯情報端末のディスプレイ及び入力部に対応する開口部が正面側に設けられた一の携帯情報端末を収納するケース本体二個が、正面側が向き合うように閉じ合わせることが可能な接合部によって接合されていることを特徴とする携帯情報端末用ケース。
【請求項２】
一のケース本体の背面には、前記接合部の逆の側面側から伸びた先端部に留具が配置されたベルトが設けられ、他の一のケース本体の背面には、前記留具と雌雄対をなす留具が配置されていること
を特徴とする請求項１記載の携帯情報端末用ケース。
【請求項３】
前記入力部はタッチパネル式に構成されていて、
各々のケース本体の前記開口部には、表面が押下されたときの圧力を前記入力部に伝達可能な透明状の薄型シートが貼付されていること
を特徴とする請求項１又は２記載の携帯情報端末用ケース。
【考案の詳細な説明】
【技術分野】
【０００１】
本考案は、二の携帯情報端末を収納することが可能な携帯情報端末用ケースに関するものである。
【背景技術】
【０００２】
外出先でインターネットへの接続や電子メールの送受信、スケジュール管理等が可能なツールとして、携帯情報端末が利用されている。近時は、ハードディスク内蔵型の携帯音楽プレイヤーに通信等の携帯情報端末機能を備えた製品も提供されるなど、その機能や利用形態は多様になっている。
【０００３】
携帯情報端末は様々な環境で使用するため、落下や衝突等により損傷が生じやすいという問題がある。そのため、保護用のケースに収納して持ち運ばれることも多く、様々なケースが提供されるようになっており、使用時の利便性の向上や保護の強化を目的とした保護ケースに関する考案が開示されている（例えば、特許文献１、２参照）。
【０００４】
【特許文献１】実用新案登録第３０３９９４８号公報
【特許文献２】実用新案登録第３０５９１２８号公報
【考案の開示】
【考案が解決しようとする課題】
【０００５】
携帯情報端末の利用形態が多様になると、例えばインターネットで２つのＷｅｂページを見比べるとか、スケジュール帳を確認しながら電子メールを送信するとか、ユーザが同時に複数の操作を行いたいという場面も生じやすくなると考えられる。パーソナルコンピュータを使用している場合であれば、マルチタスク機能によって複数のアプリケーションを同時に起動することができるが、ハードウエアのスペックに制約のある携帯情報端末ではマルチタスク機能は備えられていないことが通常である。
【０００６】
本考案は、このような課題を解決するためになされたものであり、携帯情報端末を用いて同時に複数の操作を行うことができる携帯情報端末用ケース提供することを目的とするものである。
【課題を解決するための手段】
【０００７】
このような課題を解決する本考案は、二の携帯情報端末を収納することが可能な携帯情報端末用ケースであって、携帯情報端末のディスプレイ及び入力部に対応する開口部が正面側に設けられた一の携帯情報端末を収納するケース本体二個が、正面側が向き合うように閉じ合わせることが可能な接合部によって接合されていることを特徴とする携帯情報端末用ケースである。
【０００８】
本考案にかかる携帯情報端末用ケースに二の携帯情報端末を収納すると、接合部を開いた状態で二の携帯情報端末を並べて操作することが可能になるため、あたかもマルチタスク機能を利用するかのように、ユーザは携帯情報端末を用いて同時に複数の操作を行うことができる。
【０００９】
また、本考案の好ましい形態では、一のケース本体の背面には、前記接合部の逆の側面側から伸びた先端部に留具が配置されたベルトが設けられ、他の一のケース本体の背面には、前記留具と雌雄対をなす留具が配置されていることを特徴とする。
【００１０】
このように構成すると、留具で閉じ合わせることによって開口部が保護されるため、持ち運び時等の安全性を高めることができる。また、本考案にかかる一の携帯情報端末用ケースの留具を、他の一の携帯情報端末用ケースの雌雄対となる留具と留め合わせることによって、携帯情報端末用ケースを連結して、四個以上の携帯情報端末を並べて同時に操作することが可能になる。
【００１１】
さらに、本考案の好ましい形態では、前記入力部はタッチパネル式に構成されていて、各々のケース本体の前記開口部には、表面が押下されたときの圧力を前記入力部に伝達可能な透明状の薄型シートが貼付されていることを特徴とする。
【００１２】
このように構成すると、タッチパネル式の液晶画面を保護することも可能になる。
【考案の効果】
【００１３】
本考案によって、あたかもマルチタスク機能を利用するかのように、携帯情報端末を用いて同時に複数の操作を行うことが可能になる。
【考案を実施するための最良の形態】
【００１４】
本考案の実施の形態について、図１〜図９を用いて以下に詳細に説明する。尚、以下に説明する実施形態は本考案にかかる携帯情報端末用ケースの一例であって、本体や開口部の形状、留具の種類等は、図１〜図９に示した例に限定されるものではない。
【００１５】
図１〜図３は、本考案にかかる携帯情報端末用ケースの斜視図であり、それぞれ開いた状態、閉じた状態の正面側、閉じた状態の背面側を示している。図４は、本考案にかかる携帯情報端末用ケースの正面図である。図５は、端末を収納した状態の本考案にかかる携帯情報端末用ケースの正面図である。図６は、本考案にかかる携帯情報端末用ケースの背面図である。図７は、本考案にかかる携帯情報端末用ケースの上面図である。図８は、本考案にかかる携帯情報端末用ケースの底面図である。図９は、連結した状態の本考案にかかる本考案にかかる携帯情報端末用ケースの正面図である。
【００１６】
本考案にかかる携帯情報端末用ケースは、図１に示したように、一の携帯情報端末が収納できるケース本体二個が、タッチパネル等の入力部を操作できる開口部３のある本体正面１を内側にして閉じ合わせるように、接合部４によって接合されている。
【００１７】
図２、図３は、本考案にかかる携帯情報端末用ケースを閉じ合わせた状態を示したものである。図２は閉じた状態を斜め正面側から見たもので、二のケース本体はベルト５によって閉じられており、ベルト５を開放すると本体表面１及び開口部３が表れて、携帯情報端末の操作が可能になる。図３は閉じた状態を斜め背面側から見たもので、接合部４が見える状態になっている。
【００１８】
本考案にかかる携帯情報端末用ケースを正面から見ると、図４のようになる。ケース本体には本体表面１及び開口部３が表れていて、二のケース本体が接合部４で接合されている。ケース本体及び本体表面の材質は特に限定されるものではなく、例えば、皮革、シリコン、プラスチック等を用いることができる。
【００１９】
開口部３の形状は特に限定されるものではないが、携帯情報端末のディスプレイが十分に見えて、入力部の操作を行うことができる大きさが確保されていることが必要である。開口部３には何も貼付せずに直接携帯情報端末に触れられる構造となっていてもよいが、表面が押下されたときの圧力を入力部に伝達可能なものであるならば、液晶保護用の透明状の薄型シートを貼付することとしてもよい。
【００２０】
また、ケース本体の一方の背面には、接合部４の逆の側面側から伸びた先端部に留具６が配置されたベルト５が設けられている。二のケース本体を接合部４で正面から見て谷折りに折り畳んで閉じ合わせたときには、ベルト５の留具６は、図６に示したもう一方のケース本体の本体背面２に配置された雌雄対をなす留具７と留め合わされることになる。
【００２１】
接合部４の材質や構造は特に限定されるものではないが、例えば、ケース本体が皮革である場合には、柔軟性の高い皮革を用いて本実施例で図示したような接合部を形成することとすればよいし、ケース本体がプラスチック等比較的固い材質のものである場合には、ヒンジを用いて接合することとしてもよい。
【００２２】
図５は、携帯情報端末を収納した状態で本考案にかかる携帯情報端末用ケースを正面から見た例を示している。二の携帯情報端末でそれぞれ異なる操作を行っても、両者の位置を固定した状態で見比べることができるので、あたかもパーソナルコンピュータのマルチタスク機能を利用するかのように、携帯情報端末を操作することができる。
【００２３】
本考案にかかる携帯情報端末用ケースを上面から見ると、図７のようになる。一のケース本体の本体背面２には先端部に留具６が配置されたベルト５が設けられ、他のケース本体の本体背面２には留具７が配置されている。留具６と留具７には、雌雄対となったスナップボタンの他にも、面ファスナー等を用いることとしてもよい。尚、この例では留具６が雌、留具７が雄となっているが、留具６と留具７の雌雄は逆になってもよい。
【００２４】
また、それぞれのケース本体には、端末収納孔８が設けられている。端末収納孔８は携帯情報端末の横サイズ、厚さに対して、収納するのに十分な大きさの孔となっており、携帯情報端末をここからスライドさせて挿入する。
【００２５】
本考案にかかる携帯情報端末用ケースを底面から見ると、図８のようになる。底面の形状は特に限定されるものではないが、携帯情報端末の規格にあわせて、必要な孔を設けておくことが好ましい。図８の例では、充電やスピーカ等との接続の際にコネクタを接続するためのコネクタ孔９、ヘッドフォンを接続する際にプラグを挿入するためのフォーンプラグ孔１０が設けられている。
【００２６】
図９は、二の本考案にかかる携帯情報端末用ケースを連結した状態を示している。一の携帯情報端末のベルト５の先端部に配置された留具６を、他の携帯情報端末の本体背面２に配置された留具７と留め合わせることによって、二の携帯情報端末用ケースを連結することができる。その結果、四個以上の携帯情報端末を並べて、同時に四種以上の操作を行うことが可能になる。
【００２７】
この場合、ベルト５の長さが短すぎると、図９は、二の本考案にかかる携帯情報端末用ケースを連結した状態を示している。一の携帯情報端末のベルト５の先端部に配置された留具６を、他の携帯情報端末の本体背面２に配置された留具７と留め合わせることによって、二の携帯情報端末用ケースを連結することができる。その結果、四個以上の携帯情報端末を並べて、同時に四種以上の操作を行うことが可能になる。
【図面の簡単な説明】
【００２８】
【図１】本考案にかかる携帯情報端末用ケースの斜視図（開いた状態）である。
【図２】本考案にかかる携帯情報端末用ケースの斜視図（閉じた状態の正面側）である。
【図３】本考案にかかる携帯情報端末用ケースの斜視図（閉じた状態の背面側）である。
【図４】本考案にかかる携帯情報端末用ケースの正面図である。
【図５】本考案にかかる携帯情報端末用ケースの正面図（端末を収納した状態）である。
【図６】本考案にかかる携帯情報端末用ケースの背面図である。
【図７】本考案にかかる携帯情報端末用ケースの上面図である。
【図８】本考案にかかる携帯情報端末用ケースの底面図である。
【図９】本考案にかかる本考案にかかる携帯情報端末用ケースの正面図（連結した状態）である。
【符号の説明】
【００２９】
１    本体正面
２    本体背面
３    タッチパネル用開口部
４    接合部
５    ベルト
６    留具
７    留具
８    端末収納孔
９    コネクタ孔
１０  フォーンプラグ孔
【図１】
0003143881.tif 000003
【図２】
0003143881.tif 000004
【図３】
0003143881.tif 000005
【図４】
0003143881.tif 000006
【図５】
0003143881.tif 000007
【図６】
0003143881.tif 000008
【図７】
0003143881.tif 000009
【図８】
0003143881.tif 000010
【図９】
0003143881.tif 000011